(57)【特許請求の範囲】
【請求項１】
撮影レンズの窓部を覆う閉位置と、撮影レンズの窓部から退避する開位置と、の間を移動するレンズバリアを備えた撮像装置において、
固定軸に回転可能に軸支されたピニオンと、
前記ピニオンに駆動力を伝達する駆動手段と、
前記ピニオンと噛み合うラックが設けられ、スライド動作する移動枠と、
前記レンズバリアが載置されたレンズバリア載置台と、
前記移動枠と前記レンズバリア載置台とを連結する連結手段と、
前記ラックによる前記移動枠のスライド動作を前記レンズバリア載置台を押上げる押上げ力に変換して、レンズバリアを前記窓部内へ移動させる移動手段と、
を有し、
前記連結手段が、前記移動枠に形成され移動枠のスライド方向に対して所定の角度を持つ案内溝と、前記レンズバリア載置台に設けられ前記案内溝に係合して案内溝内を移動する第１の支持部と、で構成され、
前記移動手段が、前記レンズバリア載置台に設けられた第２の支持部と、
前記第２の支持部を案内すると共に、前記レンズバリアの前記開位置と前記閉位置との間に傾斜面を有し、レンズバリアが閉位置へ移動するにつれて第２の支持部を前記窓部前面側へ誘導するガイド部と、で構成されたことを特徴とする撮像装置。
【請求項２】
前記レンズバリアが開位置にあることを検知してレンズバリア全開信号を出力する全開検出手段と、
撮影レンズが窓部の奥方に収まる沈胴位置にあることを検知して沈胴位置信号を出力する沈胴検知手段と、
前記窓部前面と前記レンズバリアとが面一となったことを検知してレンズバリアフラット信号を出力するフラット検出手段と、
撮像電源をオンさせると前記駆動手段を駆動させて、前記レンズバリアを開位置へ移動させ、前記全開検出手段から前記レンズバリア全開信号が入力されると駆動手段を駆動停止させると共に、撮像電源をオフさせると撮影レンズ用駆動手段を駆動させて、前記沈胴検出手段から前記沈胴位置信号が入力されると、前記駆動手段を駆動させ、レンズバリアを閉位置へ移動させて、前記フラット検出手段から前記レンズバリアフラット信号が入力されると駆動手段を駆動停止させる制御手段と、
を有することを特徴とする請求項１に記載の撮像装置。
【発明の詳細な説明】
【０００１】
【発明の属する技術分野】
本発明は、撮影レンズの窓部を覆う閉位置と、撮影レンズの窓部から退避する開位置と、の間を移動するレンズバリアを備えた撮像装置であり、特にデジタルカメラに関する。
【０００２】
【従来の技術】
図１２（Ａ）に示すように、コンパクトカメラやデジタルカメラ２００などでは、持ち運び時に撮影レンズ２０２が傷つかないように、電源がオフのときに撮影レンズ２０２の窓部２００Ａを覆って撮影レンズ２０２を保護するレンズバリア２０４が設けられている。
【０００３】
このレンズバリア２０４は、デジタルカメラ２００の電源をオンにすると、デジタルカメラ２００の内部に設けられたステッピングモータ４０により回転移動し、撮影レンズ２０２の窓部２００Ａから退避するように構成されている。これにより、窓部２００Ａが全開となり、撮影レンズ２０２が突出可能となる。
【０００４】
【発明が解決しようとする課題】
しかしながら、図１２（Ｂ）に示すように、レンズバリア２０４が閉位置に移動した状態では、レンズバリア２０４の天面は、デジタルカメラ２００のボディの奥方へ位置している。
【０００５】
このため、窓部２００Ａにはゴミ又はホコリが溜まりやすく、窓部２００Ａにゴミ又はホコリが溜まった状態でレンズバリア２０４を移動させると、デジタルカメラ２００の内部にゴミ又はホコリが入り、故障の原因となる恐れがある。
【０００６】
本発明は上記事実を考慮し、レンズバリアが閉位置のとき、レンズバリアが窓部内に位置する撮像装置を提供することを目的とする。
【０００７】
【課題を解決するための手段】
上記目的を達成するため、請求項１に記載の発明は、撮影レンズの窓部を覆う閉位置と、撮影レンズの窓部から退避する開位置と、の間を移動するレンズバリアを備えた撮像装置において、固定軸に回転可能に軸支されたピニオンと、前記ピニオンに駆動力を伝達する駆動手段と、前記ピニオンと噛み合うラックが設けられ、スライド動作する移動枠と、前記レンズバリアが載置されたレンズバリア載置台と、前記移動枠と前記レンズバリア載置台とを連結する連結手段と、前記ラックによる前記移動枠のスライド動作を前記レンズバリア載置台を押上げる押上げ力に変換して、レンズバリアを前記窓部内へ移動させる移動手段と、を有し、前記連結手段が、前記移動枠に形成され移動枠のスライド方向に対して所定の角度を持つ案内溝と、前記レンズバリア載置台に設けられ前記案内溝に係合して案内溝内を移動する第１の支持部と、で構成され、前記移動手段が、前記レンズバリア載置台に設けられた第２の支持部と、前記第２の支持部を案内すると共に、前記レンズバリアの前記開位置と前記閉位置との間に傾斜面を有し、レンズバリアが閉位置へ移動するにつれて第２の支持部を前記窓部前面側へ誘導するガイド部と、で構成されたことを特徴とする。請求項１に記載の発明では、レンズバリアが撮影レンズの窓部を覆う閉位置と、撮影レンズの窓部から退避する開位置と、の間を移動する。一方、固定軸には駆動手段によって駆動力が伝達されるピニオンが回転可能に軸支されている。このピニオンには移動枠に設けられたラックが噛み合っており、移動枠がスライド動作する。
【０００８】
レンズバリアが載置されたレンズバリア載置台は、連結手段によって移動枠と連結されており、移動手段によってラックによる移動枠のスライド動作が、レンズバリア載置台を押上げる押上げ力に変換され、レンズバリアを窓部内へ移動させる。
【０００９】
このように、レンズバリアを窓部内へ移動させることによって、レンズバリアと窓部前面とを面一とすることができる。このため、レンズバリアの周縁には、窓部にゴミ又はホコリが溜まらない。
【００１０】
従って、従来のように、窓部に溜まったゴミ又はホコリがデジタルカメラの内部に入り、故障の原因となることはない。また、レンズバリアを窓部前面と面一にすると、デジタルカメラの筐体に印刷するデザインの幅が広がる。
【００１１】
また、請求項１に記載の発明では、移動枠には移動枠のスライド方向に対して所定の角度を持つ案内溝が形成されている。一方、レンズバリア載置台には第１の支持部が設けられており、案内溝に係合して案内溝内を移動する。
【００１２】
このように、第１の支持部を案内溝に係合させることによって、移動枠に伝達された駆動力をレンズバリア載置台へ伝達させることができる。また、案内溝は移動枠のスライド方向に対して所定の角度を持っているため、レンズバリア載置台は移動枠に対して上下方向の移動も可能となる。
【００１３】
また、レンズバリア載置台には第２の支持部が設けられており、ガイド部によって案内される。このガイド部はレンズバリアの開位置と閉位置との間に傾斜面を有しており、レンズバリアが閉位置へ移動するにつれて、第１の支持部を案内溝に沿って移動させながら、第２の支持部を窓部前面側へ誘導する。
【００１４】
請求項２に記載の発明は、請求項１又は２に記載の撮像装置において、レンズバリアが開位置にあることを検知してレンズバリア全開信号を出力する全開検出手段と、撮影レンズが窓部の奥方に収まる沈胴位置にあることを検知して沈胴位置信号を出力する沈胴検知手段と、前記窓部前面と前記レンズバリアとが面一となったことを検知してレンズバリアフラット信号を出力するフラット検出手段と、撮像電源をオンさせると前記駆動手段を駆動させて、前記レンズバリアを開位置へ移動させ、前記全開検出手段から前記レンズバリア全開信号が入力されると駆動手段を駆動停止させると共に、撮像電源をオフさせると撮影レンズ用駆動手段を駆動させて、前記沈胴検出手段から前記沈胴位置信号が入力されると、前記駆動手段を駆動させ、レンズバリアを閉位置へ移動させて、前記フラット検出手段から前記レンズバリアフラット信号が入力されると駆動手段を駆動停止させる制御手段と、を有することを特徴とする。請求項２に記載の発明では、撮像電源がオンされると、駆動手段を駆動させ、レンズバリアを開位置へ移動させる。そして、全開検出手段によって、レンズバリアが開位置にあることが検知されると、レンズバリア全開信号が出力される。このレンズバリア全開信号が制御手段へ入力されると駆動手段が駆動停止する。
【００１５】
一方、撮像電源がオフされると、撮影レンズ用駆動手段を駆動させ、撮影レンズを窓部の奥方へ収納する。沈胴検出手段によって、撮影レンズが窓部の奥方に収納される沈胴位置にあることが検知されると、沈胴位置信号が出力される。この沈胴位置信号が制御手段へ入力されると駆動手段が駆動し、レンズバリアが閉位置へ移動する。
【００１６】
そして、フラット検出手段によって、窓部前面とレンズバリアとが面一となったことが検知されると、レンズバリアフラット信号が出力され、駆動手段が駆動停止する。
このように、各種の検出手段を備えることによって、レンズバリアが開位置に移動するときに、撮影レンズのレンズ面を摺動したり、レンズバリアが閉位置であるにも拘らず、撮影レンズが突出することがないようにしている。
【００１８】
【発明の実施の形態】
図１には、本形態に係る撮像装置としてのデジタルカメラ１０が示されている。まず、このデジタルカメラ１０の概要について、図２に示すブロック図に従って説明する。
【００１９】
本形態のデジタルカメラ１０は、シャッタボタン１２、操作ボタン１４、モードダイヤル１６、ディスプレイ１８、検出部２０、制御部２２、駆動回路２４、メモリ２６、圧縮伸張部２８、メモリーカードドライブ３０、及び撮像電源３２がバス３４を介して接続された構成である。
【００２０】
モードダイヤル１６は、デジタルカメラ１０の動作モードを選択するダイヤルであり、例えば、写真撮影モード、動画モード、再生モード等のうちのいずれか１つを選択する。
【００２１】
ここで、デジタルカメラ１０の背面筐体の下方側には、図示しないＬＣＤから成るカラーのディスプレイ１８が取付けられており、ディスプレイ１８の上方側には、表示ボタン、実行ボタン、キャンセルボタン、ズーム調整ボタン等の操作ボタン１４が設けられている。
【００２２】
ディスプレイ１８は、画像表示指示がある場合に、メモリ２６に保存された画像データやメモリーカードから読み込んだ画像データに基づいて画像を画面全体に表示したり、複数の縮小画像を並べて表示したり、各種機能選択画面を表示する。
【００２３】
一方、制御部２２は、ＣＰＵ２２Ａ、ＲＯＭ２２Ｂ及びＲＡＭ２２Ｃとから構成され、バス３４を介してシャッタボタン１２、操作ボタン１４、モードダイヤル１６、ディスプレイ１８、全開検出装置５６、沈胴検出装置５８、フラット検出装置６０、駆動回路２４、メモリ２６、圧縮伸張部２８、メモリーカードドライブ３０、及び撮像電源３２等の各種構成要素が接続されている。
【００２４】
ところで、ＲＯＭ２２Ｂには、制御部２２に接続された上述の各種構成要素を制御するプログラム、及び、レンズバリア用ステッピングモータ４０の駆動制御プログラムが記憶されている。また、ＲＡＭ２２Ｃには、バス３４を介して入力される前記各プログラムに必要な各種データが記憶される。
【００２５】
一方、バス３４を介して制御部２２と接続する駆動回路２４には、ストロボ３６、レンズバリア３８を開位置と閉位置との間で移動させるためのステッピングモータ４０、フォーカスレンズ鏡胴（撮影レンズ）４２を移動させるためのステッピングモータ４３、シャッタ４４、絞り４６、撮像デバイス４８が接続されており、駆動回路２４は、制御部２２からの制御信号に基づいてそれぞれを駆動制御する。
【００２６】
以上のような構成により、撮像電源３２がオフからオンになると、ＣＰＵ２２Ａは、ＲＯＭ２２Ｂから各種制御プログラムおよびバリアモータ駆動制御プログラムを読み出して、各種構成要素の初期設定処理を行う。
【００２７】
撮影待機状態では、例えば、ＣＰＵ２２Ａは、測距部(図示省略)により測定された被写体との距離に基づいてオートフォーカス（ＡＦ）制御値を定めて駆動回路２４に出力する。駆動回路２４は、ＡＦ制御値に基づいてステッピングモータ４３を駆動して、フォーカスレンズ鏡胴４２を移動させ、自動的に焦点調整を行う。
【００２８】
また、ＣＰＵ２２Ａは、図示しない測光部で測定された測光値に基づいて露光制御値、例えば、絞り値（絞りの開口量）やシャッタスピード、ストロボ３６により発光させるか否か等を定めて駆動回路２４へ出力する。
【００２９】
そして、シャッタボタン１２が押下されると、駆動回路２４は、露光制御値に基づいてストロボ３６、ステッピングモータ４３、シャッタ４４、絞り４６及び撮像デバイス４８を駆動させ、レンズ４１を透過した被写体像を撮影する。
【００３０】
撮像デバイス４８には、露光制御値に応じて入射する光の光量に対応した電荷が蓄積される。蓄積された電荷、すなわち画像信号は、アナログ信号処理部５０に出力される。
【００３１】
アナログ信号処理部５０では、入力された画像信号に所定のアナログ信号処理（例えばノイズ低減処理）を施し、Ａ／Ｄ変換部５２へ出力する。Ａ／Ｄ変換部５２では、入力されたアナログ信号をデジタル信号に変換してデジタル信号処理部５４に出力する。デジタル信号処理部５４では、入力されたデジタル信号に所定のデジタル信号処理（例えばシェーディング補正処理）を施し、画像データとしてメモリ２６に出力する。また、メモリ２６に出力された画像データの画像は液晶などで構成されたディスプレイ１８により表示される。
【００３２】
デジタルカメラ１０では、操作ボタン１４により所定の操作を行うことにより撮影した画像をメモリカードドライブを介して、例えば、スマートメディアやＨｉＦＤ等のメモリカードに記憶させることができる。
【００３３】
この場合、メモリ２６に記憶された画像データは圧縮伸張部２８に出力され、該圧縮伸張部２８において所定の画像圧縮処理（例えばＪＰＥＧ処理）が行われる。圧縮された画像データはメモリーカードドライブ３０に出力され、メモリカードに書き込まれる。
【００３４】
なお、本形態のデジタルカメラ１０では、メモリカードに記憶された圧縮画像データを読み出すこともできる。この場合、メモリカードから読み出された圧縮画像データは圧縮伸張部２８へ出力され、この圧縮伸張部２８において伸張処理が施される。これにより、圧縮画像から元の画像に戻される。伸張処理された画像は、ディスプレイ１８に表示される。
【００３５】
次に、第１形態に係るデジタルカメラ１０に備えられたレンズバリア３８について説明する。図１に示すように、デジタルカメラ１０の表筐体１０Ａには、レンズ開口部１１が形成されており、筒体の先端にレンズ４１が設けられたフォーカスレンズ鏡胴４２（図５参照）が通過可能となっている。
【００３６】
このフォーカスレンズ鏡胴４２は撮影時にレンズ開口部１１を通過して表筐体１０Ａから突出し、撮影時以外（再生時も含む）は、レンズ開口部１１の奥方（デジタルカメラ１０の内部）へ収納される。このとき、円板状のレンズバリア３８がレンズ開口部１１を覆い、レンズ４１を保護する。
【００３７】
図３及び図４に示すように、デジタルカメラ１０（図１参照）の内部には、駆動手段として、例えばステッピングモータ４０が用いられており、所定角度内を正転或いは逆転可能となっている。このステッピングモータ４０からの駆動力は、デジタルカメラ１０の内部に設けられた地板８８に配設された図示しない複数のギアを介してピニオン６６に伝達される。
【００３８】
ピニオン６６にはラック８２が噛み合っており、ステッピングモータ４０の駆動力がラック８２に伝達される。このラック８２は略長方形状の平板である移動枠４６の一端側の側面に設けられている。移動枠４６は地板８８上に載置されており、ピニオン６６から伝達された駆動力がラック８２に伝達されると、移動枠４６は地板８８に沿ってスライド移動する。
【００３９】
また、移動枠４６の他端側には、一対の支持片６２が上方（以下、移動枠４６から見て表筐体１０Ａ側を上方向とする）へ向かって設けられている。この支持片６２には、長円状の案内溝６４が長手方向に沿って形成されている。
【００４０】
一方、移動枠４６の上方には、略長方形状の平板であるレンズバリア載置台６８が配置されており、レンズバリア載置台６８の上面には、レンズバリア３８が載置されている。
【００４１】
このレンズバリア載置台６８の両側面からは、フォロワー７０、７２、７４がそれぞれ張り出している。フォロワー７４は案内溝６４に係合可能となっており、フォロワー７４を介して移動枠４６のスライド移動をレンズバリア載置台６８に伝達すると共に、レンズバリア載置台６８の上下方向の移動が可能となる。
【００４２】
ここで、移動枠４６の上面には、収納部４６Ａが凹設されており、この収納部４６Ａはレンズバリア載置台６８のフォロワー７０側の下方に位置している。収納部４６Ａには板バネ７８が収納されており、レンズバリア載置台６８に当接してレンズバリア載置台６８のフォロワー７０側を上方へ付勢している。
【００４３】
一方、レンズバリア載置台６８を間に置いて、一対の案内板８０が対面しており、この案内板８０にはガイド溝８４、８６が形成されている。図５に示すように、ガイド溝８６は、Ｐ１地点からＰ２地点までは水平となっており、Ｐ２地点からＰ３地点には表筐体１０Ａ側へ向かう傾斜面８６Ａが設けられ、Ｐ３地点からＰ４地点では水平となっている。また、ガイド溝８４は、Ｑ１地点からＱ２地点までは水平となっており、Ｑ２地点からＱ３地点で表筐体１０Ａ側へ向かう形状となっている。
【００４４】
このガイド溝８４にはフォロワー７０が係合可能となっており、ガイド溝８６にはフォロワー７２が係合可能となっている。図５に示すレンズバリア３８の開位置では、フォロワー７０はＰ１地点に位置し、フォロワー７２はＱ１地点に位置している。このとき、フォロワー７６は案内溝６４の下端部に位置している。
【００４５】
この状態で、ピニオン６６を介してラック８２に駆動力が伝達されると、移動枠４６のスライド移動によって、フォロワー７４を介してレンズバリア載置台６８が矢印Ａ方向へスライド移動する。
【００４６】
これにより、フォロワー７２がＰ２地点を通過すると、図６に示すように、傾斜面８６Ａに沿ってフォロワー７２が表筐体１０Ａ側へ案内されると共に、フォロワー７４が案内溝６４に沿って上方へ移動する。
【００４７】
ここで、レンズバリア載置台６８のフォロワー７０側には、板バネ７８によってフォロワー７２を中心とするモーメントが生じるが、フォロワー７０の移動はガイド溝８４によって規制されるため、フォロワー７０はガイド溝８４に沿ってスライド移動する。このため、移動枠４６に対して傾いた状態でレンズバリア載置台６８は移動する。
【００４８】
次に、図７に示すように、フォロワー７２がＰ３地点へ到達すると、フォロワー７０はＱ２地点へ到達する。ここで、ガイド溝８４のＱ２地点からＱ３地点に架けてガイド溝８４の幅は、表筐体１０Ａ側へ向かって広がっている。
【００４９】
ここで、レンズバリア載置台６８のフォロワー７０側は、板バネ７８によってフォロワー７２を中心とするモーメントが生じているため、フォロワー７０はガイド溝８４に沿って表筐体１０Ａ側へ押上げられる。このとき、フォロワー７４も案内溝６４に沿って上方へ移動する。
【００５０】
そして、図８に示すように、フォロワー７２がＰ４地点へ到達すると共に、フォロワー７２側に位置するレンズバリア３８の周縁が、レンズ開口部１１内に配置される。
【００５１】
ここで、レンズ開口部１１の縁部には、レンズバリア３８のフォロワー７０側にガイド面９０が設けられている。このガイド面９０によって、フォロワー７０がガイド溝８４に沿ってフォロワー７２を中心に回転すると共に、レンズバリア載置台６８が押上げられ、レンズバリア３８がレンズ開口部１１内へ案内される。
【００５２】
ところで、案内溝６４の上縁側では、若干幅が広くなっており、レンズバリア載置台６８が押上げられるとき、フォロワー７２の移動に伴って、フォロワー７４が案内溝６４内で移動できるようにしている。
【００５３】
次に、図９に示すように、レンズバリア載置台６８のフォロワー７０側が押上げられると、フォロワー７０側に位置するレンズバリア３８の周縁が、レンズ開口部１１内に配置される。このとき、レンズバリア３８の天面３８Ａが、表筐体１０Ａの意匠面１５と面一となる。
【００５４】
以上のような構成により、ラック８２による移動枠４６のスライド動作が、レンズバリア載置台６８を押上げる押上げ力に変換され、レンズバリア３８をレンズ開口部１１内へ移動させ、レンズバリア３８の天面３８Ａと表筐体１０Ａの意匠面１５とを面一とすることができる。これにより、レンズバリア３８と表筐体１０Ａとの間で段差が生じることはなく、ゴミ又はホコリが溜まることはない。
【００５５】
従って、従来のように、段差に溜まったゴミ又はホコリがデジタルカメラ１０のデジタルカメラ１０の内部に入るということはない。また、レンズバリア３８はレンズ開口部１１に嵌合されるため、デジタルカメラ１０を搖動させてもレンズバリア３８がズレることはない。さらに、レンズバリア３８と表筐体１０Ａとが面一であるため、デジタルカメラ１０の表筐体１０Ａに印刷するデザインの幅が広がる。
【００５６】
ところで、レンズバリア３８が開位置へ移動するときは、図８から図７へ示すように、レンズバリア３８の周縁がガイド面９０に案内されて、板バネ７８の付勢力と抗する方向へ押圧され、レンズバリア３８及びレンズバリア載置台６８のフォロワー７０側が押し下げる。
【００５７】
このように、ガイド面９０によってレンズバリア３８のフォロワー７０側をレンズ開口部１１内から抜け出させることができるため、レンズバリア３８をスライド移動させると共に、表筐体１０Ａの奥方へ移動させることが可能となる。
【００５８】
次に、レンズバリア３８の動作について、図２及び図３を参照して図１０及び図１１に示すフローチャートに従って説明する。
【００５９】
まず、図１０に示すように、ステップ１１０において、撮像電源３２をオンにすると、制御部２２にはレンズバリア開放信号が入力され、ステップ１１２では、レンズバリア用のステッピングモータ４０が駆動して、ピニオン６６に矢印Ｂ方向の回転力を伝達する。
【００６０】
このため、ラック８２によって移動枠４６及びレンズバリア載置台６８がスライド移動する（矢印ｂ方向）。このとき、図８に示すように、レンズバリア３８の周縁がガイド面９０に案内され、レンズバリア３８のフォロワー７０側が板バネ７８の付勢力の抗する方向へ押圧されて、レンズ開口部１１内から抜け出す。
【００６１】
このとき、図７に示すように、フォロワー７０がＱ２地点へ向けて押し下げられ、レンズバリア載置台６８が傾いた状態でフォロワー７０、７２がそれぞれガイド溝８４、８６に沿って移動する。
【００６２】
そして、図６に示すように、フォロワー７０はガイド溝８４に沿ってスライド移動する。一方、フォロワー７２は傾斜面８６Ａに沿って除々に下方へ移動し、レンズバリア３８を表筐体１０Ａの奥方へ移動させる。
【００６３】
次に、ステップ１１６で、レンズバリア３８が開位置へ移動したか否か判断される。図５に示すように、レンズバリア３８が開位置へ移動し、フォロワー７０がガイド溝８４の縁部に当接して、ガイド溝８４の縁部に配置された全開検出装置５６のスイッチが作動すると、レンズバリア全開信号が出力される。
【００６４】
このレンズバリア全開信号は制御部２２へ入力され、ステップ１１８において、ステッピングモータ４０の駆動が停止する。そして、ステップ１２０でフォーカスレンズ用ステッピングモータ４３が駆動し、フォーカスレンズ鏡胴４２を表筐体１０Ａから突出させ、撮影可能状態となる。
【００６５】
一方、図１１に示すように、ステップ１２２において、撮像電源３２をオフにすると、制御部２２にはレンズバリア閉止信号が入力され、ステップ１２４でフォーカスレンズ用のステッピングモータ４３が駆動し、フォーカスレンズ鏡胴４２がレンズ開口部１１の奥方へ移動する。
【００６６】
ステップ１２６において、フォーカスレンズ鏡胴４２が沈胴位置に到達したか否かが判断される。フォーカスレンズ鏡胴４２が沈胴位置に到達して、沈胴検出装置（図示省略）が作動し、沈胴位置信号が制御部２２へ入力されると、ステップ１２８において、撮影レンズ用ステッピングモータの駆動が停止する。
【００６７】
一方、ステップ１３０では、ステッピングモータ４０が矢印Ｃ方向へ回転する。このため、ラック８２によって移動枠４６及びレンズバリア載置台６８がスライド移動する（矢印ｃ方向）。
【００６８】
そして、図６及び図７に示すように、ガイド溝８４、８６によってフォロワー７０、７２が案内され、レンズバリア載置台６８が傾いた状態で、フォロワー７２側のレンズバリア３８の周縁がレンズ開口部１１内へ移動する。
【００６９】
次に、図８に示すように、フォロワー７０が板バネ７８によって押上げられると共に、フォロワー７４が案内溝６４に沿って上方へ移動して、レンズバリア３８の周縁がガイド面９０によって案内され、図９に示すように、レンズバリア３８の天面３８Ａが、表筐体１０Ａの意匠面１５と面一となる。
【００７０】
次に、ステップ１３４において、レンズバリア３８が表筐体１０Ａと面一となるフラット位置へ移動したか否かが判断される。フォロワー７０がガイド溝８４の縁部に設けられたフラット検出装置６０に当接して、ガイド溝８４の縁部に配置されたフラット検出装置６０のスイッチが作動すると、レンズバリアフラット信号が出力される。このレンズバリアフラット信号は制御部２２へ入力されてステップ１３６でステッピングモータ４０の駆動が停止する。
【００７１】
以上のように、各種の検出手段を備えることによって、レンズバリア３８が開位置に移動するときに、フォーカスレンズ鏡胴４２のレンズ４１面を摺動したり、レンズバリア３８が閉位置であるにも拘らず、フォーカスレンズ鏡胴４２が突出することがないようにしている。
【００７２】
このため、レンズバリア３８及びフォーカスレンズ鏡胴４２の位置が認識できれば良いため、スイッチに限るものではなく、また、本形態による配設場所には限られない。
【００７３】
なお、本形態では、デジタルカメラについて説明したが、レンズ開口部を覆い、或いはレンズ開口部から退避するレンズバリアを用いるカメラであれば良いため、デジタルカメラに限るものではない。
【００７４】
また、本形態のように、レンズバリア３８と表筐体１０Ａとが面一であることが望ましいが、レンズバリア３８をレンズ開口部１１内へ移動させることによって、従来と比較して、レンズバリア３８の周縁にゴミ又はホコリが溜まり難くなるため、レンズバリア３８と表筐体１０Ａとが完全に面一でなくても良い。
【００７５】
【発明の効果】
本発明は、上記構成としたので、請求項１に記載の発明では、レンズバリアを窓部内へ移動させることによって、レンズバリアと窓部前面とを面一とすることができる。このため、レンズバリアの周縁には、窓部にゴミ又はホコリが溜まらない。従って、従来のように、窓部に溜まったゴミ又はホコリがデジタルカメラの内部に入り、故障の原因となることはない。また、レンズバリアを窓部前面と面一にすると、デジタルカメラの筐体に印刷するデザインの幅が広がる。
【００７６】
請求項２に記載の発明では、各種の検出手段を備えることによって、レンズバリアが開位置に移動するときに、撮影レンズのレンズ面を摺動したり、レンズバリアが閉位置であるにも拘らず、撮影レンズが突出することがないようにしている。
【図面の簡単な説明】
【図１】本形態に係る撮像装置が適用されたデジタルカメラの外観を示す斜視図である。
【図２】本形態に係る撮像装置が適用されたデジタルカメラの要部のブロック図である。
【図３】本形態に係る撮像装置に用いられたレンズバリアを示す斜視図である。
【図４】本形態に係る撮像装置に用いられたレンズバリアを示す平面図であり、実線がレンズバリアの開位置を示し、仮想線がレンズバリアの閉位置を示す。
【図５】本形態に係る撮像装置に用いられたレンズバリアの開位置を示す概略側面図である。
【図６】本形態に係る撮像装置に用いられたレンズバリアの移動している状態を示す概略側面図である。
【図７】本形態に係る撮像装置に用いられたレンズバリアの移動している状態を示す概略側面図である。
【図８】本形態に係る撮像装置に用いられたレンズバリアの移動している状態を示す概略側面図である。
【図９】本形態に係る撮像装置に用いられたレンズバリアの閉位置を示す概略側面図である。
【図１０】本形態に係る撮像装置が適用されたデジタルカメラの撮像電源をオンしたときの制御を示すフローチャートである。
【図１１】本形態に係る撮像装置が適用されたデジタルカメラの撮像電源をオフしたときの制御を示すフローチャートである。
【図１２】従来のデジタルカメラを示す概略断面図であり、（Ａ）はレンズバリアの開位置を示し、（Ｂ）はレンズバリアの閉位置を示している。
【符号の説明】
１０            デジタルカメラ
１１            レンズ開口部（窓部）
２０            検出部（制御手段）
２２            制御部（制御手段）
２４            駆動回路（制御手段）
３４            バス（制御手段）
３８            レンズバリア
４０            ステッピングモータ（駆動手段）
４３            ステッピングモータ（撮影レンズ用駆動手段）
４６            移動枠
５６            全開検出装置（全開検出手段）
５８            沈胴検出装置（沈胴検出手段）
６０            フラット検出装置（フラット検出手段）
６４            案内溝（連結手段）
６６            ピニオン
６８            レンズバリア載置台
７０            フォロワー（移動手段（第２の支持部））
７２            フォロワー（移動手段（第２の支持部））
７４            フォロワー（連結手段（第１の支持部））
８４            ガイド溝（移動手段（ガイド部））
８６            ガイド溝（移動手段（ガイド部））
【図１】
0004474035.tif 000002
【図２】
0004474035.tif 000003
【図３】
0004474035.tif 000004
【図４】
0004474035.tif 000005
【図５】
0004474035.tif 000006
【図６】
0004474035.tif 000007
【図７】
0004474035.tif 000008
【図８】
0004474035.tif 000009
【図９】
0004474035.tif 000010
【図１０】
0004474035.tif 000011
【図１１】
0004474035.tif 000012
【図１２】
0004474035.tif 000013